(57)【要約】【課題】  生産性を向上させ、消費電力を減少させることができるバックライトアセンブリ及びこれを有する表示装置を提供する。【解決手段】  バックライトアセンブリは、第１及び第２駆動電圧に応答して光を発生する１つ以上のＵ字型ランプ、及び第１及び第２駆動電圧を出力するインバータを含む。１つ以上のＵ字型ランプは、Ｕ字型ランプチューブ及びＵ字型ランプチューブの第１及び第２端部の外周面を囲むようにそれぞれ形成され、第１及び第２駆動電圧をそれぞれ入力受ける第１及び第２外部電極を含む。インバータは、外部から供給された外部電源に応答して、第１及び第２外部電極に第１及び第２駆動電圧をそれぞれ提供する。従って、バックライトアセンブリ及びこれを有する表示装置の生産性を向上させ、消費電力を減少させることができる。【選択図】    図１
2006106665.tif 000002
【特許請求の範囲】
【請求項１】
Ｕ字型ランプチューブ及び前記Ｕ字型ランプチューブの第１及び第２端部の外面を囲むようにそれぞれ形成され、第１及び第２駆動電圧をそれぞれ入力受ける第１及び第２外部電極で構成され、光を発生する１つ以上のＵ字型ランプと、
前記第１外部電極に接続され第１駆動電圧を前記第１外部電極に提供する第１連結部材と、
前記第２外部電極に接続され第２駆動電圧を前記第２外部電極に提供する第２連結部材と、
を含むことを特徴とするバックライトアセンブリ。
【請求項２】
前記第１連結部材は、
導電性材質で形成され前記第１駆動電圧の入力を受ける第１ベース基板と、
前記第１ベース基板から突出し、前記１つ以上のＵ字型ランプの対応する第１端部に結合され、前記第１外部電極に前記第１駆動電圧を提供する１つ以上の第１電極クリップと、を含み、
前記第２連結部材は、
導電性材質で形成され前記第２駆動電圧の入力を受ける第２ベース基板と、
前記第２ベース基板から突出し、前記１つ以上のＵ字型ランプの該当する第２端部に結合され、前記第２外部電極に前記第２駆動電圧を提供する１つ以上の第２電極クリップと、を含むことを特徴とする請求項１記載のバックライトアセンブリ。
【請求項３】
前記第１及び第２連結部材を収納するモールドフレームを更に含むことを特徴とする請求項２記載のバックライトアセンブリ。
【請求項４】
前記モールドフレームは絶縁性材質で構成され、
前記モールドフレームには、前記第１及び第２連結部材と結合される第１及び第２結合部を備えることを特徴とする請求項３記載のバックライトアセンブリ。
【請求項５】
前記第１結合部は、スライディング方式で前記第１ベース基板が収納される第１スリットで構成され、
前記第２結合部は、スライディング方式で前記第２ベース基板が収納される第２スリットで構成されることを特徴とする請求項４記載のバックライトアセンブリ。
【請求項６】
前記第１スリットは、前記モールドフレームを第１側面から中心部側に切開して形成され、
前記第２スリットは、前記モールドフレームを前記第１側面と反対の第２側面から前記中心部側に切開して形成されることを特徴とする請求項５記載のバックライトアセンブリ。
【請求項７】
前記モールドフレームには、前記第１及び第２連結部材の前記第１及び第２電極クリップを露出させるための第１及び第２開口部が形成され、
前記第１及び第２開口部は、前記第１及び第２スリットの上部に設けられる前記モールドフレームを切開して形成されることを特徴とする請求項６記載のバックライトアセンブリ。
【請求項８】
前記第１及び第２連結部材は、前記第１及び第２ベース基板からそれぞれ突出した第１及び第２固定突起を更に含み、
前記モールドフレームは、前記第１及び第２固定突起をそれぞれ収納して、前記第１及び第２ベース基板が前記モールドフレームから離脱しないように固定する第１及び第２固定溝を有することを特徴とする請求項３記載のバックライトアセンブリ。
【請求項９】
前記モールドフレームから突出して前記Ｕ字型ランプが長手方向に流動することを防止する第１係止突起を更に含むことを特徴とする請求項３記載のバックライトアセンブリ。
【請求項１０】
前記第２連結部材は、前記第２ベース基板から突出して前記１つ以上のＵ字型ランプが長手方向に移動することを防止する第２係止突起を更に含むことを特徴とする請求項２記載のバックライトアセンブリ。
【請求項１１】
前記第１電極クリップは、隣接する２つの第２電極クリップとの間に介在され、
前記第１電極クリップは、隣接する前記２つの第２電極クリップと１０〜５０ｍｍの距離で離間して配置されることを特徴とする請求項２記載のバックライトアセンブリ。
【請求項１２】
前記Ｕ字型ランプチューブは、
所定方向に延長された第１発光部と、
前記第１発光部と平行に延長され、前記第１発光部より長さが長い第２発光部と、
所定の曲率を有して曲げられて前記第１及び第２発光部を連結する屈曲部と、
を含むことを特徴とする請求項２記載のバックライトアセンブリ。
【請求項１３】
前記第１及び第２連結部材を収納するモールドフレームを更に含み、
前記モールドフレームには、前記モールドフレームの第１側面から中心部側に切開し形成され、スライディング方式で前記第１ベース基板を収納するスリットが形成されることを特徴とする請求項１２記載のバックライトアセンブリ。
【請求項１４】
前記モールドフレームには、前記スリットの上部に設けられる前記モールドフレームを切開し形成され、前記第１連結部材の前記第１電極クリップを露出させる開口部が形成されることを特徴とする請求項１３記載のバックライトアセンブリ。
【請求項１５】
前記第１連結部材は、前記第１ベース基板から突出された固定突起を更に含み、
前記モールドフレームは、前記固定突起を収納して前記第１ベース基板が前記モールドフレームから離脱しないように固定する固定溝を有することを特徴とする請求項１３記載のバックライトアセンブリ。
【請求項１６】
前記第２連結部材は、前記第１側面と反対する前記モールドフレームの第２側面と隣接して前記モールドフレームの上面に固定されることを特徴とする請求項１３記載のバックライトアセンブリ。
【請求項１７】
前記モールドフレームは、前記第２ベース基板が固定された位置で前記上面から突出するボスを更に含み、
前記第２ベース基板には、前記ボスが形成された位置に対応して締結溝が形成され、
前記ボスは、前記締結溝に挿入された後に熱溶着され、前記第２連結部材を前記モールドフレームの上面に固定させることを特徴とする請求項１６記載のバックライトアセンブリ。
【請求項１８】
前記第１発光部と前記第２発光部との間の段差は、前記第１又は第２外部電極の長さより大きいことを特徴とする請求項１２記載のバックライトアセンブリ。
【請求項１９】
前記第２連結部材は、前記第１連結部材と平行に配置され、
前記第１連結部材と前記第２連結部材の離隔距離は、２ｍｍ以上であることを特徴とする請求項１記載のバックライトアセンブリ。
【請求項２０】
前記Ｕ字型ランプチューブは、
所定方向に延長された第１発光部と、
前記第１発光部と平行に延長された第２発光部と、
所定の曲率を有して曲げられて前記第１及び第２発光部を連結する屈曲部と、
を含むことを特徴とする請求項１記載のバックライトアセンブリ。
【請求項２１】
前記屈曲部に結合され前記１つ以上のＵ字型ランプを指定された位置に固定させるための１つ以上の固定部材を更に含むことを特徴とする請求項２０記載のバックライトアセンブリ。
【請求項２２】
前記Ｕ字型ランプから出射した光を拡散させる拡散板を更に含み、
前記第１発光部の中心から前記第２発光部の中心までの距離は、前記Ｕ字型ランプと前記拡散板の離間距離の３倍以下であることを特徴とする請求項２０記載のバックライトアセンブリ。
【請求項２３】
前記１つ以上のＵ字型ランプを収納する収納容器と、
前記収納容器に収納された前記１つ以上のＵ字型ランプの第１及び第２端部をカバーする第１モールドカバーと、
前記１つ以上のＵ字型ランプの屈曲部をカバーする第２モールドカバーと、
を更に含むことを特徴とする請求項２０記載のバックライトアセンブリ。
【請求項２４】
前記第１駆動電圧はレファレンス電圧であり、前記第２駆動電圧は前記レファレンス電圧を基準としてスイングする交流電圧であることを特徴とする請求項１記載のバックライトアセンブリ。
【請求項２５】
前記第１及び第２駆動電圧は、互いに反対位相を有してスイングする交流電圧であることを特徴とする請求項１記載のバックライトアセンブリ。
【請求項２６】
光を用いて画像を表示する表示パネルと、
前記表示パネルの下部に設けられ、前記光を発生して前記表示パネルに提供するバックライトアセンブリと、を含み、
前記バックライトアセンブリは、
Ｕ字型ランプチューブ及び前記Ｕ字型ランプチューブの第１及び第２端部の外面を囲むようにそれぞれ形成され、第１及び第２駆動電圧をそれぞれ入力受ける第１及び第２外部電極で構成され、光を発生する１つ以上のＵ字型ランプと、
前記第１外部電極に接続され前記第１駆動電圧を前記第１外部電極に提供する第１連結部材と、
前記第２外部電極に接続され前記第２駆動電圧を前記第２外部電極に提供する第２連結部材と、
を含むことを特徴とする表示装置。
【請求項２７】
前記第１連結部材は、
導電性材質で形成され前記第１駆動電圧の入力を受ける第１ベース基板と、
前記第１ベース基板から突出し、前記Ｕ字型ランプの第１端部に結合され前記第１外部電極に前記第１駆動電圧を提供する１つ以上の第１電極クリップと、を含み、
前記第２連結部材は、
導電性材質で形成され前記第２駆動電圧の入力を受ける第２ベース基板と、
前記第２ベース基板から突出し、前記Ｕ字型ランプの第２端部に結合され前記第２外部電極に前記第２駆動電圧を提供する１つ以上の第２電極クリップと、を含むことを特徴とする請求項２６記載の表示装置。
【請求項２８】
絶縁性材質で形成され前記第１及び第２連結部材を収納するモールドフレームを更に含むことを特徴とする請求項２７記載の表示装置。
【請求項２９】
前記Ｕ字型ランプチューブは、
所定方向に延長された第１発光部と、
前記第１発光部と平行に延長され、前記第１発光部より長さが長い第２発光部と、
所定の曲率を有して曲げられて前記第１及び第２発光部を連結する屈曲部と、
を含むことを特徴とする請求項２６記載のバックライトアセンブリ。
【請求項３０】
前記バックライトアセンブリと前記表示パネルを収納する収納容器と、
前記収納容器と対向して結合し、前記表示パネルの一部分をカバーして前記表示パネルを前記収納容器に固定させるトップシャーシと、
を更に含むことを特徴とする請求項２６記載の表示装置。
【請求項３１】
前記インバータは、前記収納容器の背面に具備されることを特徴とする請求項３０記載の表示装置。
【発明の詳細な説明】
【技術分野】
【０００１】
本発明はバックライトアセンブリ及びこれを有する表示装置に関し、より詳細には、生産性を向上させて消費電力を減少させることができるバックライトアセンブリ及びこれを有する表示装置に関するものである。
【背景技術】
【０００２】
表示装置の１つである液晶表示装置は、画像を表示するための液晶表示パネルと液晶表示パネルに光を供給するためのバックライトアセンブリで構成される。
最近、液晶表示パネルのサイズが大型化されるにつれて、バックライトアセンブリのサイズも増加している。その結果、バックライトアセンブリは、液晶表示パネルの後面に互いに平行に配置され、液晶表示パネルに直接光を提供する直下型構造を採用する。
【０００３】
このような直下型バックライトアセンブリは、高輝度及び輝度均一性のために多数のランプを備える。一般に、直下型バックライトアセンブリに採用される多数のランプは、冷陰極蛍光ランプで構成される。従って、直下型バックライトアセンブリは、多数のランプを並列駆動するために多数のインバータを更に備える。その結果、直下型バックライトアセンブリの製造原価が増加して生産性が低下する。
【０００４】
又、直下型バックライトアセンブリは、多数のインバータと多数のランプを電気的に接続するための配線をさらに設ける必要がある。多数のインバータは、多数のランプの一端部に設けられるので、多数のランプの他端部に接続された配線は、同じ端部側にリターンワイヤにより戻される。しかし、このようなリターンワイヤーは漏洩電流を発生させて、直下型バックライトアセンブリの輝度均一性を低下し、消費電力が増加する。
【発明の開示】
【発明が解決しようとする課題】
【０００５】
従って、本発明の目的は、生産性を向上して消費電力を減少することができるバックライトアセンブリを提供することにある。
又、本発明の他の目的は、前記したバックライトアセンブリを有する表示装置を提供することにある。
【課題を解決するための手段】
【０００６】
本発明の１特徴によるバックライトアセンブリは、第１及び第２駆動電圧に応答して光を発生する１つ以上のＵ字型ランプ、第１連結部材、及び第２連結部材を含む。
前記Ｕ字型ランプは、Ｕ字型ランプチューブ及び前記Ｕ字型ランプチューブの第１及び第２端部の外周面を囲むようにそれぞれ形成され、第１及び第２駆動電圧をそれぞれ入力受ける第１及び第２外部電極を含む。
【０００７】
前記第１連結部材は、前記第１外部電極に接続され 前記第１駆動電圧を前記第１外部電極に提供し、前記第２連結部材は、前記第２外部電極に接続され 前記第２駆動電圧を前記第２外部電極に提供する。
【０００８】
本発明の他の特徴による表示装置は、光を用いて画像を表示する表示パネル、及び前記表示パネルの下部に具備され、前記光を発生して前記表示パネルに提供するバックライトアセンブリを含む。
【０００９】
前記バックライトアセンブリは、第１及び第２駆動電圧に応答して光を発生する１つ以上のＵ字型ランプ、第１連結部材、及び第２連結部材を含む。
前記Ｕ字型ランプは、Ｕ字型ランプチューブ及び前記Ｕ字型ランプチューブの第１及び第２端部の外周面を囲むようにそれぞれ形成され、第１及び第２駆動電圧をそれぞれ入力受ける第１及び第２外部電極を含む。
【００１０】
前記第１連結部材は、前記第１外部電極に接続され 前記第１駆動電圧を前記第１外部電極に提供し、前記第２連結部材は、前記第２外部電極に接続され 前記第２駆動電圧を前記第２外部電極に提供する。
【００１１】
このようなバックライトアセンブリ及びこれを有する表示装置によると、バックライトアセンブリは、第１及び第２外部電極を有する多数のＵ字型ランプで構成することにより、リターンワイヤーによる漏洩電流を除去することができ、これによる消費電力を減少させることができる。
【発明を実施するための最良の形態】
【００１２】
以下、添付図面を参照して、本発明の好ましい実施例をより詳細に説明する。
図１は本発明の１実施例によるバックライトアセンブリの分解斜視図であり、図２は図１に図示されたバックライトアセンブリの結合斜視図である。
【００１３】
図１及び図２に示すように、本発明の１実施例によるバックライトアセンブリ５００は、多数のＵ字型ランプ１００、第１及び第２電極板２１０、２２０、モールドフレーム３００、及びインバータ４００を含む。
【００１４】
多数のＵ字型ランプ１００は、それぞれＵ字型ランプチューブ１１０、第１及び第２外部電極１２０、１３０で構成され光を発生する。
Ｕ字型ランプチューブ１１０は、それぞれ所定方向に長く延長され光を発生する第１発光部１１１、第１発光部１１１と平行に延長され光を発生する第２発光部１１２、及び所定の曲率で曲げられて第１及び第２発光部１１１、１１２を連結する屈曲部１１３に区分される。
【００１５】
第１外部電極１２０は、第１発光部１１１の第１端部の外面を囲むように形成される。第２外部電極１３０は、第２発光部１１２の第２端部の外面を囲むように形成される。
一方、第１電極板２１０は、第１ベース基板２１１及び多数の第１電極クリップ２１２を含む。第１ベース基板２１１は、第１及び第２発光部１１１、１１２と垂直な方向に延長され、 第１電極クリップ２１２は、第１ベース基板２１１から突出して、第１発光部１１１の第１端部と結合する。従って、第１電極クリップ２１２は、第１発光部１１１を指定された位置に固定する。ここで、多数の第１電極クリップ２１２は、互いに所定間隔で離間して配置される。
【００１６】
第２電極板２２０は、第２ベース基板２２１及び多数の第２電極クリップ２２２を含む。第２ベース基板２２１は、第１ベース基板２１１と平行に延長され、多数の第２電極クリップ２２２は、第２ベース基板２２１から突出して第２発光部１１２の第２端部と結合する。従って、多数の第２電極クリップ２２２は、第２発光部１１２を指定された位置に固定する。ここで、多数の第２電極クリップ２２２は、互いに所定の間隔で離間して配置される。又、第２電極クリップ２２２は、隣接する２つの第１電極クリップ２１２との間に設けられ、隣接する第１電極クリップ２１２とも所定の間隔で離間して配置される。
【００１７】
多数の第１及び第２電極クリップ２１２、２２２は、多数のＵ字型ランプ１００を指定された位置に固定させる役割を行うのみならず、インバータ４００から提供された第１及び第２駆動電圧を多数のＵ字型ランプ１００のそれぞれの第１及び第２外部電極１２０、１３０にそれぞれ印加する。
【００１８】
インバータ４００は、外部から提供される外部電源に応答して第１及び第２駆動電圧を出力する。インバータ４００は、第１及び第２ワイヤー４１０、４２０を通じて第１及び第２電極板２１０、２２０とそれぞれ電気的に接続される。第１電極板２１０に提供された第１駆動電圧は、多数の第１電極クリップ２１２を通じて第１外部電極１２０に印加される。又、第２電極板２２０に提供された第２駆動電圧は、多数の第２電極クリップ２２２を通じて第２外部電極１３０に印加される。従って、多数のＵ字型ランプ１００のそれぞれは、第１及び第２駆動電圧に応答して光を発生する。
【００１９】
ここで、第１駆動電圧はレファレンス電圧であり、第２駆動電圧は第１駆動電圧を基準としてスイングする交流電圧である。例えば、第１駆動電圧は接地電圧である。又、第１駆動電圧と第２駆動電圧は、互いに反転された位相を有してスイングする交流電圧である。
【００２０】
モールドフレーム３００は、所定の厚さを有する四角プレーと形状で形成され、第１及び第２電極板２１０、２２０を収納する。モールドフレーム３００は、第１及び第２電極板２１０、２２０を電気的に絶縁するために、絶縁性材質で形成される。
【００２１】
モールドフレーム３００には、第１ベース基板２１１を収納するための第１スリット３１１及び第２ベース基板２２１を収納するための第２スリット（図示せず）が形成される。第１スリット３１１は、モールドフレーム３００を第１側面３１０から中心部に切開して形成され、第２スリット３２１はモールドフレーム３００を第１側面３１０と反対の第２側面３２０から中心部に切開して形成される。従って、第１電極板２１０は、第１方向Ｄ１にスライドさせることで第１スリット３１１に収納され、第２電極板２２０は第１方向Ｄ１と反対の第２方向Ｄ２にスライドさせることで第２スリット３２１に収納される。
【００２２】
又、モールドフレーム３００には、多数の第１及び第２開口部３１２、３２２が形成される。多数の第１開口部３１２は、第１スリット３１１より上部に位置するモールドフレーム３００を切開して形成され、多数の第２開口部３２２は、第２スリット３２１より上部に位置するモールドフレーム３００を切開して形成される。従って、多数の第１電極クリップ２１２は、多数の第１開口部３２１を通じてモールドフレーム３００の表面上に露出し、多数の第２電極クリップ２２２は、多数の第２開口部３２２を通じてモールドフレーム３００の表面上に露出する。
【００２３】
図１に示すように、多数のＵ字型ランプ１００は、第１及び第２電極板２１０、２２０を通じて１つのインバータ４００から第１及び第２駆動電圧の入力を受ける。従って、バックライトアセンブリ５００は、多数のＵ字型ランプ１００を駆動するために１つのインバータのみを具備し、その結果、バックライトアセンブリ５００の生産性を向上することができる。
【００２４】
又、多数のＵ字型ランプ１００とインバータ４００を電気的に接続するための第１及び第２ワイヤー４１０、４２０は、バックライトアセンブリ５００の一側に設けられる。従って、リターンワイヤーにより発生する漏洩電流を除去することができ、その結果、バックライトアセンブリ５００の消費電力を節減できる。
【００２５】
図３は、図２に図示されたバックライトアセンブリの平面図である。
図３を参照すると、第１電極板２１０に形成された第１電極クリップ２１２は、第２電極板２２０に形成された第２電極クリップ２２２と互いに隣接する。Ｕ字型ランプ１００の第１発光部１１１は、第１電極クリップ２１２に結合され、Ｕ字型ランプ１００の第２発光部１１２は、第２電極クリップ２２２に結合される。従って、第１発光部１１１の第１端部に形成された第１外部電極１２０は、第１電極クリップ２１２と電気的に接続され、第２発光部１１２の第２端部に形成された第２外部電極１３０は、第２電極クリップ２２２と電気的に接続される。
【００２６】
第１電極板２１０には、第１ベース基板２１１の第１端部を貫通する第１ホール２１１ａが形成され、第２電極板２２０には、第２ベース基板２２１の第２端部を貫通する第２ホール２２１ａが形成される。第１及び第２ホール２１１ａ、２２１ａは、図１に図示された第１及び第２ワイヤー４１０、４２０と締結されるためのものである。従って、第１及び第２ホール２１１ａ、２２１ａに締結される第１及び第２ねじ（図示せず）を通じて第１及び第２ワイヤー４１０、４２０は、第１及び第２電極板２１０、２２０に電気的に接続される。
【００２７】
一方、第１電極クリップ２１２は、隣接する第２電極クリップ２２２の離間距離ｄ１は１０〜５０ｍｍである。バックライトアセンブリ５００に輝線が生じないようにするための第１及び第２発光部１１１、１１２の最短距離は１０〜５０ｍｍなので、第１及び第２電極クリップ２１２、２２２の離隔距離は１０〜５０ｍｍに維持される。
【００２８】
第１電極板２１０と第２電極板２２０の最短距離ｄ２は２ｍｍである。第１及び第２電極板２１０、２２０が最小２ｍｍ距離で離間している場合、第１及び第２電極板２１０、２２０に印加された信号間に干渉が発生しない。
【００２９】
図４は図３に図示されたI-I'に沿って切断した断面図であり、図５は図３に図示されたII-II'に沿って切断した断面図である。
図４及び図５に示すように、モールドフレーム３００は、上面から突出した第１係止突起３３０を含む。第１係止突起３３０は、多数のＵ字型ランプ１００の第１端部と接触し、多数のＵ字型ランプ１００が長手方向に移動することを防止する。
【００３０】
一方、第２電極板２２０は、第２ベース基板２２１から突出した第２係止突起２２３を含む。第２係止突起２２３は、多数のＵ字型ランプ１００の第２端部と接触し、多数のＵ字型ランプ１００が長手方向に移動することを防止する。
【００３１】
本発明の１例として、多数のＵ字型ランプ１００が長手方向に移動することを防止するために、モールドフレーム３００と第２電極板２２０に第１及び第２係止突起３３０、２２３がそれぞれ形成された構造を提示した。図示していないが、本発明の他の１例として、第１及び第２係止突起３３０、２２３を、全部第２電極板２２０に形成することができる。
【００３２】
第１電極板２１０は、第１ベース基板２１１の一部分が切開され、第１ベース基板２１１の底面より下に突出した第１固定突起２１１ｂを更に含む。又、第２電極板２２０は、第２ベース基板２２１の一部分が切開され、第２ベース基板２２１の底面より下に突出した第２固定突起２２１ｂを更に含む。
【００３３】
一方、第１スリット３１１に収納された第１ベース基板２１１と向かい合うモールドフレーム３００の第１面には、第１固定突起２１１ｂと対応し結合する第１固定溝３１１ａが形成される。従って、第１方向Ｄ１に収納された第１電極板２１０は、第１固定突起２１１ｂによりモールドフレーム３００から離脱しない。
【００３４】
又、第２スリット３１２に収納された第２ベース基板２２１と向かい合うモールドフレーム３００の第２面には、第２固定突起２２１ｂと対応し結合する第２固定溝３１２ａが形成される。従って、第２方向Ｄ２に収納された第２電極板２２０は、第２固定突起２２１ｂによりモールドフレーム３００から離脱しない。
【００３５】
第１及び第２電極板２１０、２２０の構造は、図１〜図５に図示された構造に限定されず、多様に変形することができる。
図６は、本発明の他の実施例によるバックライトアセンブリの分解斜視図であり、図７は、図６に図示されたバックライトアセンブリの結合平面図である。
【００３６】
図６及び図７に示すように、本発明の他の実施例によるバックライトアセンブリ５０１は、Ｕ字型ランプ１０１、第１及び第２電極板２１０、２２０、モールドフレーム３３０、及びインバータ４００を含む。
【００３７】
Ｕ字型ランプ１０１は、Ｕ字型ランプチューブ１１０、第１外部電極１２０、及び第２外部電極１３０で構成され、光を発生する。Ｕ字型ランプチューブ１１０は、所定方向に長く延長され光を発生する第１発光部１１１、第１発光部１１１と平行に延長され光を発生する第２発光部１１２、及び所定の曲率で曲げられて第１及び第２発光部１１１、１１２を連結する屈曲部１１３に区分される。
【００３８】
本実施例において、第１発光部１１１の長さは第２発光部１１２より短い。従って、第１発光部１１１のエッジと第２発光部１１２のエッジを、第３距離ｄ３だけ離間した状態で配置する。
【００３９】
図８は、図７に図示されたバックライトアセンブリをＡ１方向で見た断面図である。
図６〜図８に示すように、バックライトアセンブリ５０１のモールドフレーム３００には、第１電極板２１０の第１ベース基板２１１を収納するためのスリット３１１が形成される。スリット３１１は、モールドフレーム３００を第１側面３１０から中心部に切開して形成される。従って、第１電極板２１０は、第１方向Ｄ１にスライドすることでスリット３１１に収納される。又、モールドフレーム３００には、開口部３１２が形成される。開口部３１２は、スリット３１１より上部に位置するモールドフレーム３００を切開して形成される。従って、第１電極板２１０の第１電極クリップ２１２は、開口部３１２を通じてモールドフレーム３００の表面上に露出される。
【００４０】
又、第１電極板２１０は、第１ベース基板２１１の一部分が切開され、第１ベース基板２１１の底面より下に突出された固定突起２１１ｂを更に含む。
スリット３１１に収納された第１ベース基板２１１と向かい合うモールドフレーム３００の第１面には、固定突起２１１ｂと対応して結合する固定溝３１１ａが形成される。従って、第１方向Ｄ１にスライドさせて収納された第１電極板２１０は、第１固定突起２１１ｂによりモールドフレーム３００に固定することができる。
【００４１】
図９は、図７に図示されたIV-IV'に沿って切断した断面図である。
図６、図７、及び図９に示すように、バックライトアセンブリ５０１の第２電極板２２０は、モールドフレーム３００の第１側面３１０の反対側の第２側面３２０と隣接して、モールドフレーム３００の上面３３０に固定される。モールドフレーム３００は、第２電極板２２０の第２ベース基板２２０が固定された位置で上面３３０から突出するボス３３１を具備する。又、第２ベース基板２２０には、ボス３３１と結合する締結溝２２５が形成される。
【００４２】
第２固定突起３３１は、締結溝２２５を通過して、第２ベース基板２２０より上に突出される。突出された第２固定突起３３１を熱溶着すると、第２ベース基板２２０は、熱溶着されたボス３３１によりモールドフレーム３００の上面３３０に固定される。
【００４３】
図７に示すように、Ｕ字型ランプチューブ１１０の第１発光部１１１のエッジと第２発光部１１２のエッジを第３距離ｄ３だけ離間して配置することにより、第１ベース基板２１０と第２ベース基板２２０を、水平方向で第４距離ｄ４だけ離間させることができる。その結果、第１及び第２電極板２１０、２２０に印加された信号の間に互いに干渉がなされない程度の距離を確保することができる。
【００４４】
図１０は、図７に図示されたV-V'に沿って切断した断面図である。
図１０に示すように、バックライトアセンブリ５０１の第１電極板２１０は、モールドフレーム３００のスリット３１１に挿入されるので、モールドフレーム３００の第１側面３０１の中心部に対応して設けられる。反面、第２電極板２２０は、モールドフレーム３００の上面３３０に固定される。
【００４５】
従って、第１電極板２１０と第２電極板２２０は、第５距離ｄ５だけ離間して配置することができる。このように、第１ベース基板２１０と第２ベース基板２２０は、垂直方向で第５距離ｄ５だけ離間して配置されることで、第１及び第２電極板２１０、２２０に印加された信号間に互いに干渉がなされない程度の距離を確保することができる。
【００４６】
図１１は、本発明の更に他の実施例によるバックライトアセンブリの結合平面図である。
図１１に示すように、本発明の更に他の実施例によるバックライトアセンブリでＵ字型ランプ１０１は、Ｕ字型ランプチューブ１１０、第１外部電極１２０、及び第２外部電極１３０で構成され光を発生する。Ｕ字型ランプチューブ１１０は、所定方向で長く延長され、光を発生する第１発光部１１１、第１発光部１１１と平行に延長され光を発生する第２発光部１１２、及び所定の曲率で曲げられて第１及び第２発光部１１１、１１２を連結する屈曲部１１３に区分される。
【００４７】
第１発光部１１１の長さは、第２発光部１１２より短い。従って、第１発光部１１１のエッジと第２発光部１１２のエッジは、第３距離ｄ３だけ離間して配置される。
第１外部電極１２０は、第１発光部１１１の第１端部の外面を囲むように形成される。第２外部電極１３０は、第２発光部１１２の第２端部の外面を囲むように形成される。
【００４８】
ここで、第１発光部１１１と第２発光部１１２との間の段差ｄ３は、第１又は第２外部電極１２０、１３０の長さＬ１より長い。従って、図面の第２方向Ａ２から見た時、第１及び第２外部電極１２０、１３０は互いにオーバーラップしない。これにより、第１外部電極１２０と第２外部電極１３０を十分な距離で離隔することができ、その結果、第１及び第２外部電極１２０、１３０の間に発生する信号干渉を防止することができる。
【００４９】
図１２は本発明の更に他の実施例によるバックライトアセンブリの分解斜視図であり、図１３は図１２に図示されたバックライトアセンブリをVI-VI'に沿って切断した部分断面図である。但し、図１２及び図１３に図示された構成要素のうち、図６に図示された構成要素と同じ構成要素には同じ参照符号を付与し、その具体的な説明は省略する。
【００５０】
図１２及び図１３に示すように、本発明の更に他の実施例によるバックライトアセンブリ１００１は、多数のＵ字型ランプ１０１、第１及び第２電極板２１０、２２０、モールドフレーム３００、インバータ４００、及び収納容器６００を含む。
【００５１】
収納容器６００は、底面６１０及び底面６１０から曲げられて延長された側壁６２０を含み、底面６１０と側壁６２０により定義された収納空間に多数のＵ字型ランプ１０１、第１及び第２電極板２１０、２２０、モールドフレーム３００を収納する。一方、収納容器６１０の背面には、インバータ４００が装着される。
【００５２】
多数のＵ字型ランプ１０１の上部には、拡散板７１０及び光学シート７２０が設けられる。拡散板７１０及び光学シート７２０は、多数のＵ字型ランプ１０１から出射した光を拡散させて、バックライトアセンブリ１００１の輝度均一性及び視野角を向上する。ここで、第１発光部１１１（図６に図示）の中心から第２発光部１１２（図６に図示）の中心までの距離は、Ｕ字型ランプ１０１と拡散板７１０の離隔距離の３倍以下である。
【００５３】
多数のＵ字型ランプ１０１と底面６１０との間には、反射板７３０が更に設けられる。反射板７３０は、多数のＵ字型ランプ１０１から漏洩した光を拡散板７１０方向に反射することにより、バックライトアセンブリ１００１の光効率性を向上させる。
【００５４】
一方、バックライトアセンブリ１００１は、収納容器６００に収納された多数のＵ字型ランプ１０１の第１及び第２端部をカバーする第１モールドカバー８１０及び多数のＵ字型ランプ１０１の屈曲部１１３をカバーする第２モールドカバー８２０を更に含む。
【００５５】
図１４は、図１２に図示された第１モールドカバーを具体的に示す斜視図である。但し、図１４では、第２モールドカバー８２０と同じ構造を有する第１モールドカバー８１０の構造について説明し、第２モールドカバー８２０の構造についての説明は省略する。
【００５６】
図１３及び図１４に示すように、第１モールドカバー８１０は、収納容器６００の底面６１０と平行な上部面８１１、及び上部面８１１から底面６１０方向に傾斜するように延長される傾斜面８１２を含む。傾斜面８１２には、Ｕ字型ランプ１０１が貫通する収納溝８１２ａが形成される。第１モールドカバー８１０は、ほぼ光が発生しないＵ字型ランプ１０１の非有効発光領域をカバーし、光が発生するＵ字型ランプ１０１の有効発光領域をカバーしないことにより、バックライトアセンブリ１００１の輝度均一性を向上させる。
【００５７】
一方、第１モールドカバー８１０の上部面８１１には、拡散板７１０及び光学シート７２０を収納するための収納部８１１ａが更に形成される。
さらに、図１２及び図１３に示すように、バックライトアセンブリ１０００は、多数の固定部材９００を更に含む。多数の固定部材９００については、図１５及び図１６を参照して具体的に説明する。
【００５８】
又、バックライトアセンブリ１００１は、多数のＵ字型ランプ１００のそれぞれの管電流を感知して、感知信号を出力する多数の感知センサー４３０及び多数の感知センサー４３０が実装される回路基板４４０を更に含む。多数の感知センサー４３０及び回路基板４４０については、図１７を参照して具体的に説明する。
【００５９】
図１５は図１２に図示された多数の固定部材を具体的に示す斜視図であり、図１６は図１５に図示されたIII-III'に沿って切断した断面図である。
図１５及び図１６に示すように、多数の固定部材９００のそれぞれは、Ｕ字型ランプ１００を支持する支持部９１０、及び支持部９１０を反射板７３０及び収納容器６００に固定する固定部９２０を含む。支持部９１０には、所定の直径ｗ１を有する溝９１１、及びＵ字型ランプ１００の屈曲部１１３が挿入される開口部９１２が形成される。ここで、溝９１１の直径ｗ１は、屈曲部１１３の直径より大きいか同じであり、開口部９１２の直径ｗ２は、溝９１１の直径ｗ２より小さい。
【００６０】
開口部９１２を通じてＵ字型ランプ１０１の屈曲部１１３が挿入されると、溝９１１にＵ字型ランプ１０１の屈曲部１１３が収納される。従って、Ｕ字型ランプ１０１は、溝９１１に収納された状態で支持部９１０に固定される。
【００６１】
ここで、支持部９１０は、所定の弾性を有する材質で形成され、Ｕ字型ランプ１０１の屈曲部１１３が開口部９１２に挿入される時、開口部９１２はＵ字型ランプ１０１の屈曲部１１３を通過させるために広がる。
【００６２】
一方、固定部９２０は、支持部９１０の底面から突出して反射板７３０と収納容器６００に形成された第１及び第２貫通ホール７３１、６１１に順に挿入される。固定部９２０は、反射板７３０及び収納容器６００から容易に離脱しないように、第１及び第２貫通ホール７３１、６１１に密着結合される。従って、支持部９１０は、固定部９２０により反射板７３０及び収納容器６００に固定される。
【００６３】
多数の固定部材９００のそれぞれは、前述した構造以外にも多様な形態を有することができる。
図１７は、図１２に図示された感知センサーとＵ字型ランプの位置関係を具体的に示す平面図である。
【００６４】
図１７に示すように、多数のＵ字型ランプ１０１は第３方向Ｄ３に長く延長され、回路基板４４０は第３方向Ｄ３と直交する第２方向Ｄ２に長く延長され、回路基板４４０上には多数の感知センサー４３０が装着される。
【００６５】
多数の感知センサー３１１のそれぞれは、導電性を有する板形状で構成され、多数のＵ字型ランプ１０１のそれぞれと向かい合うように配置される。多数の感知センサー４３０のそれぞれは、多数のＵ字型ランプ１０１の電流によって変化された磁気力線により電磁気誘導され生成された感知信号を出力することにより、向かい合うＵ字型ランプ１０１の漏洩電流を感知する。
【００６６】
回路基板３１０は、インバータ４００（図１２に図示）と電気的に接続され、多数の感知センサー４３０から出力された感知信号をインバータ４００に提供する。
インバータ４００は、感知信号に応答して多数のＵ字型ランプ１０１の駆動を制御する。インバータ４００は、感知信号を用いてＵ字型ランプ１０１が正常に動作するか否かを判断した後、少なくとも１つのＵ字型ランプ１０１に正常な漏洩電流が流れない場合には、全てのＵ字型ランプ１０１にランプ駆動電圧を印加しない。
【００６７】
従って、特定ランプに流れる漏洩電流が基準値より大きいかあるいは小さい場合、多数のＵ字型ランプ１０１が動作することを防止して、特定ランプの損傷を防止できる。
図１８は、本発明の更なる他の実施例による液晶表示装置の分解斜視図である。
【００６８】
図１８に示すように、本発明の他の実施例による液晶表示装置１４０１は、光を発生するバックライトアセンブリ１００１及び光を用いて画像を表示するディスプレイユニット１１００を含む。
【００６９】
ディスプレイユニット１１００は、画像を表示する液晶表示パネル１１１０、データ及びゲート印刷回路基板１１２０、１１３０、データ及びゲート延性フィルム１１４０、１１５０を含む。データ及びゲート印刷回路基板１１２０、１１３０は、データ及びゲート延性フィルム１１４０、１１５０を通じて液晶表示パネル１１１０に電気的に連結される。データ及びゲート延性フィルム１１４０、１１５０には、それぞれデータ及びゲート印刷回路基板１１２０、１１３０から提供される各種制御信号を液晶表示パネル１１１０を駆動するための駆動信号に変換して出力するデータ及びゲート駆動チップ１１４２、１１５２が実装される。
【００７０】
液晶表示パネル１１１０は、薄膜トランジスタ（以下、ＴＦＴ）基板１１１２、ＴＦＴ基板１１１２と対向し結合されるカラーフィルター基板１１１４、及びＴＦＴ基板１１１２とカラーフィルター基板１１１４との間に介在された液晶層１１１６を含む。
【００７１】
ＴＦＴ基板１１１２は、スイッチング素子であるＴＦＴ（図示せず）がマトリックス形態で形成された透明なガラス基板である。ＴＦＴのソース及びゲート端子には、それぞれデータ及びゲートラインが接続され、ドレイン端子には透明な導電性材質で形成された画素電極（図示せず）が接続される。
【００７２】
カラーフィルター基板１１１４は、色画素であるＲＧＢ画素（図示せず）及び透明な導電性材質で形成された共通電極（図示せず）が形成された基板である。
液晶表示装置１４００は、トップシャーシ１２００及びガイドフレーム１３００を更に含む。トップシャーシ１２００は、液晶表示パネル１１１０のエッジを囲みながら収納容器６００と対向し結合して、液晶表示パネル１１１０をバックライトアセンブリ１００の上部に固定する。トップシャーシ１２００は、外部衝撃による液晶表示パネル１１１０の破損を防止し、液晶表示パネル１１１０がバックライトアセンブリ１００１から離脱することを防止する。
【００７３】
一方、ガイドフレーム１３００は、バックライトアセンブリ１００１と液晶表示パネル１１１０との間に配置され、拡散板７１０と光学シート７２０を指定された位置に固定し、液晶表示パネル１１１０の収納位置を案内する。
【産業上の利用可能性】
【００７４】
このようなバックライトアセンブリ及びこれを有する表示装置によると、多数のＵ字型ランプに第１及び第２駆動電圧を提供するインバータを１つのみ具備することにより、バックライトアセンブリの生産性を向上することができる。
【００７５】
又、多数のＵ字型ランプとインバータを電気的に接続するための第１及び第２ワイヤーがバックライトアセンブリの一側に設けられ、リターンワイヤーにより発生する漏洩電流が除去され、その結果、バックライトアセンブリの消費電力を節減できる。
【００７６】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００７７】
【図１】本発明の１実施例によるバックライトアセンブリの分解斜視図である。
【図２】図１に図示されたバックライトアセンブリの結合斜視図である。
【図３】図２に図示されたバックライトアセンブリの平面図である。
【図４】図３に図示されたI-I'に沿って切断した断面図である。
【図５】図３に図示されたII-II'に沿って切断した断面図である。
【図６】本発明の他の実施例によるバックライトアセンブリの分解斜視図である。
【図７】図６に図示されたバックライトアセンブリの結合平面図である。
【図８】図７に図示されたバックライトアセンブリをＡ１方向で見た断面図である。
【図９】図７に図示されたIV-IV'に沿って切断した断面図である。
【図１０】図７に図示されたV-V'に沿って切断した断面図である。
【図１１】本発明の更に他の実施例によるバックライトアセンブリの結合平面図である。
【図１２】本発明の更に他の実施例によるバックライトアセンブリの分解斜視図である。
【図１３】図１２に図示されたバックライトアセンブリをVI-VI'に沿って切断した部分断面図である。
【図１４】図１２に図示された第１モールドカバーを具体的に示す斜視図である。
【図１５】図１２に図示された多数の固定部材を具体的に示す斜視図である。
【図１６】図１５に図示されたIII-III'に沿って切断した断面図である。
【図１７】図１２に図示された感知センサーとＵ字型ランプの位置関係を具体的に示す平面図である。
【図１８】本発明の更なる他の実施例による液晶表示装置の分解斜視図である。
【符号の説明】
【００７８】
１００    Ｕ字型ランプ
１１０    Ｕ字型ランプチューブ
１２０    第１外部電極
１３０    第２外部電極
２１０    第１電極板
２２０    第２電極板
３００    モールドフレーム
４００    インバータ
４１０    第１ワイヤー
４２０    第２ワイヤー
５００、１０００    バックライトアセンブリ
６００    収納容器
７１０    拡散板
７２０    拡散シート
７３０    反射板
８１０    第１モールドカバー
８２０    第２モールドカバー
９００    固定部材
【図１】
2006106665.tif 000003
【図２】
2006106665.tif 000004
【図３】
2006106665.tif 000005
【図４】
2006106665.tif 000006
【図５】
2006106665.tif 000007
【図６】
2006106665.tif 000008
【図７】
2006106665.tif 000009
【図８】
2006106665.tif 000010
【図９】
2006106665.tif 000011
【図１０】
2006106665.tif 000012
【図１１】
2006106665.tif 000013
【図１２】
2006106665.tif 000014
【図１３】
2006106665.tif 000015
【図１４】
2006106665.tif 000016
【図１５】
2006106665.tif 000017
【図１６】
2006106665.tif 000018
【図１７】
2006106665.tif 000019
【図１８】
2006106665.tif 000020